(57)【特許請求の範囲】
【請求項１】
光ファイバ心線を導出入する心線導出入部１１と、該心線導出入部１１から出入する心線相互を接続した心線接続部のコネクタを収納するコネクタ収納部１２と、心線余長を巻回して収納する心線余長収納部１３とを備えた心線トレイ３を複数枚重ねて配備する心線接続収納ケースであって、
前記心線トレイ３が、外装トレイ３１  と、該外装トレイ３１  にヒンジ部４で開閉自在に連結されて外装トレイ３１  内に積層された内装トレイ３２  とからなる入れ込み構造とすると共に、この外装トレイ３１  の一対をヒンジ部４で観音開きに開閉自在に連結されて一組として、テープ心線から分岐した単心ごとにコネクタと心線余長とを個別に収納できる心線ドロップ用トレイ２に構成され、該心線ドロップ用トレイ２の複数枚を重合状態でそれぞれクロージャ１内に設けたトレイホルダー５に挿脱自在に嵌装するのに、前記心線ドロップ用トレイ２をトレイホルダー５に水平方向に押し込み連結させ、取り外しにはトレイホルダー５の前方側に心線ドロップ用トレイ２をスライドさせる構成で行なうことを特徴とする心線接続収納ケース。
【請求項２】
前記心線ドロップ用トレイ２に構成される心線トレイ３が、心線の曲率半径円をＳ字状に切り返し可能に一対の楕円筒状リブ１６をトレイ底面上に間隔をあけて対向配備した外装トレイ３１  と内装トレイ３２  とからなり、該外装トレイ３１  の両側面部に係止爪部９を突設し、該係止爪部９が、クロージャ１内の前記トレイホルダー５の案内溝１４に摺動自在に嵌装されると共に、該案内溝１４に形成されるロック部に係脱する構成とした請求項１記載の心線接続収納ケース。
【発明の詳細な説明】
【０００１】
【発明の属する技術分野】
本発明は、通信ケーブル、特に光ファイバ心線を有する光ファイバケーブル（以下光ケーブル）の架空区間において、固定配線区画の配線点や、ケーブル接続点における外被接続並びに架空ケーブルや地下ケーブルなどの光ケーブルと、ドロップ光ファイバケーブル或いは集合ドロップ光ファイバケーブルの接続のために用いられ、光ケーブルの接続部を保護し、心線余長を収納する心線接続収納ケースに関するものである。
【０００２】
【従来の技術】
従来より、光ケーブルの分岐、引込、接続などを行う場合、クロージャ内においてケーブル心線相互を接続すると共に、ケーブル心線の余長分を収納するための心線接続余長収納ケースが用いられている。このケースは、心線トレイからなり、トレイ本体に心線を導出入する部分となる心線導出入部と、その心線導出入部から導出入させる幹線用光ケーブルから引き出された光ファイバ心線同士或いは分岐用光ケーブルから引き出された心線とを接続するコネクタ等の接続部が収納されるコネクタ収納部と、さらに接続された心線の余長部分を巻回して保護収納する心線余長収納部とを備えたものが知られている。
【０００３】
【発明が解決しようとする課題】
ところが、光ケーブルを用いた通信網ではケーブルの高密度、多心化が進むにつれて心線余長収納部ではその容量が不足しがちになり、クロージャ内での多数枚重ねられた心線トレイの多様化で分岐心線の取扱いがやっかいとなり、また心線余長の納まりが悪くなって、心線にストレスが掛ることが多かったり、心線の光損失が生じ伝送特性に悪影響を与えたり接続分岐に伴う作業や個別配線整理がやりにくいし、さらには増設も簡単には対応できずコンパクト化できないといった問題が生じているし、従来のトレイでは光心線を加入者宅に引き落とす場合、トレイ内に引き込んだテープ心線を単心線に分岐し、単心線毎にコネクタと接続した接続部と心線余長とを同一トレイ内に一括収納した構造のものでは、将来的に一度接続し引き落とされた心線の故障・移転等で接続替えが発生した場合には他の心線に光損失なく接続替えを行なうのは非常に困難であった。
【０００４】
本発明は、これら従来の事情に鑑みてなされたものであり、光ケーブルの伝送特性に悪影響を与えることなく光ケーブルのドロップ接続や切り替え或いは分岐接続作業や再収納作業が容易に実施でき、複数接続単位で複層化とした高密度収納構造によって、テープ心線ごとの収納や整理のほか心線ごとの増減が簡単にでき、しかも増設も楽で、きわめてコンパクトに接続部を安全に収納することができる取扱い簡便な心線接続収納ケースを安価な形態で提供することを目的とするものである。
【０００５】
【課題を解決するための手段】
上述の課題を解決するために、請求項１の発明は、光ファイバ心線を導出入する心線導出入部と、該心線導出入部から出入する心線相互を接続した心線接続部のコネクタを収納するコネクタ収納部と、心線余長を巻回して収納する心線余長収納部とを備えた心線トレイを複数枚重ねて配備する心線接続収納ケースであって、前記心線トレイは、外装トレイと、該外装トレイにヒンジ部で開閉自在に連結されて外装トレイ内に積層された内装トレイとからなる入れ込み構造とすると共に、この外装トレイの一対をヒンジ部で観音開きに開閉自在に連結されて一組として、テープ心線から分岐した単心線ごとにコネクタと心線余長とを個別に収納できる心線ドロップ用トレイに構成され、該心線ドロップ用トレイの複数枚を重合状態でそれぞれクロージャ内に設けたトレイホルダーに挿脱自在に嵌装するのに、前記心線ドロップ用トレイをトレイホルダーに水平方向に押し込み連結させ、取り外しにはトレイホルダーの前方側に心線ドロップ用トレイをスライドさせる構成で行なうことを特徴とする。
【０００６】
請求項２の発明は、請求項１に記載の心線トレイが、心線の曲率半径円をＳ字状に切り返し可能に一対の楕円筒状リブをトレイ底面上に間隔をあけて対向配備した外装トレイと内装トレイとからなり、前記外装トレイの外側面両側部に係止爪部を突設し、該係止爪部がクロージャ内のトレイホルダーの案内溝に摺動自在に嵌装されると共に、該案内溝に形成されるロック部に係脱する構成としてなることを特徴とする。
【０００７】
【作用】
本発明の心線接続収納ケースは、心線ドロップ用トレイとして構成するのに、心線トレイが内装トレイを積層した外装トレイの一対をヒンジ部で観音開きに開閉自在に連結されて一組として構成され複数重合状態で用いられ、光ファイバ心線の分岐心線の接続余長部分を保護収納する複数の心線トレイがテープ心線から分岐した単心線ごとにコネクタと心線余長とを個別に収納できる心線ドロップ用トレイに構成され、該心線ドロップ用トレイの複数枚を重合状態でそれぞれクロージャ内に設けたトレイホルダーに挿脱自在に嵌装するのに、前記心線トレイをトレイホルダーに水平方向に押し込み連結させ、取り外しにはトレイホルダーの前方側に心線ドロップ用トレイをスライドさせる構成で行ない、心線トレイがお互いに回動自在で着脱自在に連結されているので、将来的に一度接続し引き落とされた心線の故障・移転等で接続替えが発生した場合にも他の心線に光損失なく的確に接続替えを行うことができ、任意の心線トレイを開いて或いは取り出したりしてテープ心線から分岐した心線ドロップの接続作業や接続状況の点検、確認、調整、修理の各作業などをきわめて容易に安全に行うことができる。
また、心線接続収納ケースは複数接続単位で複数層化とした高密度収納構造で、各心線トレイは、心線接続部のコネクタは固定し、心線余長も曲率半径を確保した上で取り回し収納できるので、テープ心線から分岐した各単心線を積層した各トレイに個別収納し、任意の単心線の接続替えが発生した場合にも他心線に影響なくアクセスすることが可能となり、任意の単心線へのアクセス後、この複数層のトレイをクロージャ内に納めるのにクロージャ内に設けたトレイホルダーに嵌装して心線余長の吸収に自由度を持たせて納められ、伝送特性に悪影響を及ぼすことがない。  しかも、心線接続後に上側の心線トレイを回動させて元の位置に戻しても光ファイバ心線に弛みが生じないし、心線に過度に屈曲することがなく曲率半径の小さい円弧状部分をも生じないで収納でき安全な保護ができる。
【０００８】
さらに、ドロップ心線を個別に心線トレイの集合体となる心線接続収納ケースに収納し、クロージャ内に設けたトレイホルダーに挿し込むことで、隣接される心線トレイと整理でき、またトレイホルダーから外して開閉することにより連結した心線ドロップ用トレイを別個に露出することができ、接続作業や心線ドロップ用トレイの更新並びに増設が容易にできるし、簡易な心線識別とハードトレイ化による安全性向上と任意心線の取り出し、接続、再収納作業に対するハンドリング特性の向上とが図れる。
【０００９】
【発明の実施の形態】
本発明の実施例を図面を用いて説明すると、心線接続クロージャ１には複数枚の心線ドロップ用トレイ２を内装配備しているが、該心線ドロップ用トレイ２は光ファイバ心線を導出入する心線導出入部１１と、該心線導出入部１１から入る心線相互を接続したコネクタを収納するコネクタ収納部１２と、心線余長を巻回して収納する心線余長収納部１３とを備えた心線トレイ３を複数枚多重に積み重ねてなるものである。
この心線トレイ３としては、外装トレイ３１  と、内装トレイ３２  とを積層状態でそれぞれヒンジ部４によって開閉自在に連結されて、この外装トレイ３１  の一対をヒンジ部４で観音開きに開閉自在に連結されて一組として、テープ心線から分岐した単心ごとにコネクタと心線余長とを個別に収納できる心線ドロップ用トレイ２に構成され、該心線ドロップ用トレイ２の複数枚を重合状態でそれぞれ前記クロージャ１内に設けたトレイホルダー５に挿脱自在に嵌装するのに、前記心線トレイ３をトレイホルダー５に水平方向に押し込み連結させ、取り外しにはトレイホルダー５の前方側に心線ドロップ用トレイ２をスライドさせる構成で行なうようにしてある。
この場合、前記心線ドロップ用トレイ２を構成する心線トレイ３は、外装トレイ３１  と、該外装トレイ３１  にヒンジ部４で開閉自在に連結されて外装トレイ３１  内に積層した内装トレイ３２  とからなる入れ込み構造とすると共に、この外装トレイ３１  の一対をヒンジ部４で観音開きに開閉自在に連結した４層構造の心線ドロップ用トレイ２として心線接続収納ケースとする。例えば４心テープを単心分離し、または分離心線を使用して単心線に変換した接続部及び余長収納するケースとする。
【００１０】
そして、前記心線ドロップ用トレイ２は、合成樹脂により一体成形された成形品からなる心線トレイ３から構成したものであり、図２に示すように、略長方形状の外形を有し、内面側が同一形状に形成されたもので、前記心線ドロップ用トレイ２の心線導出入部１１のある外装トレイ３１  の両側縁部対称位置に係合孔７，７をそれぞれ対向して設け、各心線ドロップトレイ２を重ねた状態において、係合杆８を係合孔７に嵌挿してトレイホルダー５に固定してなるものである。
【００１１】
前記心線ドロップ用トレイ２としては、図１乃至図４に示すように、テープ心線の４心一括収納タイプとした心線トレイ３を集合したもので、心線の接続用コネクタが収納保持されるコネクタ収納部１２と、該コネクタ収納部１２に保持された接続用コネクタから導出される心線余長を引き廻し、ループ状に巻回させて保持する心線余長収納部１３とを区画して備え、心線押え片２１のある略長方形のトレイを用いる。
【００１２】
そして、前記クロージャ１内に固着したフレーム１０にトレイホルダー５、例えば棚状ケースを設け、該トレイホルダー５に前記心線ドロップ用トレイ２を挿脱自在に備えて、心線ドロップ用トレイ２が心線取出方向を上面にする方向で水平に装着され、心線接続部と心線余長とを一括収納できる構成とすると共に、該心線ドロップ用トレイ２の外装トレイ３１  の上面に蓋片６を挿脱自在に嵌装し、蓋押え片２２で保持してなる。
【００１３】
この前記心線ドロップ用トレイ２を構成するのに心線トレイ３を４層トレイとした場合には、図２に示すようにＮｏ．１〜４までの識別番号３４を外装トレイ３１  及び内装トレイ３２  に順次つけて配線取扱いやすくしてあり、しかも、内装される内装トレイ３２  の自由端側の側面にトレイ開き止め用係止ピン３５と内装された際のトレイ撓み防止板３６とを突設してあり、またトレイ内面にトレイ撓み防止用受圧ピン３７を備えて積層したトレイ間での変形しないように配慮されている。
【００１４】
なお、複数の前記心線トレイ３は、心線の曲率半径円をＳ字状に切り返し可能に一対の楕円筒状リブ１６，１６をトレイ底面上に間隔をあけて対向配備した構成としてなる。
また、前記外装トレイ３１  の両側面部に係止爪部９と、ドロップテンションメンバ取付部１７を突設し、該係止爪部９がクロージャ内の前記トレイホルダー５の案内溝１４に摺動自在に嵌装されると共に、該案内溝１４に形成されるロック部１５に係脱する構成としてクロージャ１内での心線ドロップ用トレイ２をトレイホルダー５から引き出し移動位置させて心線接続作業が簡便にできるようにしてあり、前記ドロップテンションメンバ取付部１７にはドロップテンションメンバ把持具２７を設けて分岐ケーブルＣが固着される。  即ち、前記ドロップテンションメンバ取付部１７に開閉自在にヒンジ止めした心線押圧片１７１  で、Ｎｏ．１〜４の各トレイから出た単心線を押えられるようにし、単心線の飛び出し防止保護し、またドロップテンションメンバ把持具２７に固定されたドロップテンションメンバをさらに上から押しつける着脱自在のドロップホルダー２７１  が備えられ、各トレイの移動時にドロップケーブルの捩れ防止に役立てる構成となっている。
【００１５】
また、前記心線トレイ３に形成した舌状の係止片１８のある心線導出入部１１には、分離スリットのある心線挿通孔を設けた弾性保持部材（図示せず）を圧入嵌合して心線の支持を確実にしてあり、この弾性保持部材は心線径或いは心線数に応じた挿通孔のあるものを選んで用いられる。
さらに、前記コネクタ収納部１２及び心線余長収納部１３は、必要に応じガイドリブ及び側壁を選んで区画してもよいし、心線の浮きを阻止する心線押え片２１或いは係止爪を一体成形して余長の心線や心線接続部となるコネクタを心線ドロップ用トレイ２内に確実に保持できるようにするか、またコネクタ収納部１２或いは心線余長収納部１３のみを区画した心線トレイ３を組合せて一つとした形態としてもよく、各心線トレイ３毎に心線を分離整理収納し、ケーブル挿入部から光ファイバ心線の曲げが極少で心線収納時のねじれをも防止でき、安全かつ高密度収納で高信頼性が得られるようにする。
【００１６】
この場合、多段に積み重ねられた心線トレイ３の中から所望の心線トレイ３の上段側の心線トレイ３の係合孔７から係合杆８を外せば、トレイホルダー５から引き出せ、重ね合せ面を開くことができて、下段側の心線トレイ３の内面側が蓋片６が取り外しによって露出されて収納心線の接続配線作業が容易にできる。
【００１７】
さらに、一方の心線トレイ３を他方の心線トレイ３に連結するときは、トレイホルダー５に嵌装して水平方向に押し込み、係合孔７に係合杆８を挿入して各心線トレイ３が連結保持される。
また取り外しの際には、係合杆８を取り除いてトレイホルダー５の前方側に心線ドロップ用トレイ２を水平方向にスライドさせると、係止爪部９が外れ心線ドロップ用トレイ２が前方に引き出せ、心線トレイが３が簡単に外すことができ心線ドロップ用トレイ２内の心線の点検、接続の各作業が簡便に行なうことができる。
【００１８】
なお、前記心線導出入部１１は、片側に設けたシングルタイプに限らず両側に対に設け、即ち四隅に設けたダブルタイプのものを用いることもできるし、しかも合成樹脂の射出成形により、心線ドロップ用トレイ２を略正方形、長方形の四角形または楕円形に形成されるので、コネクタ収納部１２に隣接される心線余長収納部１３には所定間隔に配列される心線ａの押え片２１および蓋片６で伝送特性に悪影響が及ばないように心線がなめらかに湾曲したループ状に巻回保持できるように配慮してある。
例えば、前記心線ドロップ用トレイ２には曲率半径３０ｍｍ以上を確保して心線の取り回し、収納ができ、各種の接続部ｂ例えば、融着補強スリーブ、メカニカルスプライス、ＭＴコネクタなどの収納可能であって、心線トレイ３を４段に積層し、各心線トレイ単位で開閉或いは脱着可能に設け、心線余長と心線接続部を一括収納できる。
この場合は、心線トレイ３の一つは接続部は固定しない構造として心線余長の吸収に自由度を持たせることもできるし、一つのトレイに４０心線分（４心テープ１０本分）の収納が可能で識別ホルダーを用いれば、２０心単位の心線識別が可能の形態とすることもできる。
【００１９】
各内外装トレイの組合せでは、図２に示す図２（ｂ）と図２（ｄ）とのトレイは一体成形品であり、図２（ｃ）（ｄ）及び図２（ａ）（ｂ）での各トレイは、それぞれヒンジ部４で連結して組とする方式がとれるし、表面内装トレイの上面に蓋片を付設することもできる。
また、図３及び図４に示す各トレイはそれぞれ組合せてセットにすることができ、図３（ａ）（ｃ）或いは図３（ｃ）及び図４（ａ）の各トレイをヒンジ部４に連結して組とする方式を採用することができる。
【００２０】
前記心線ドロップ用トレイ２は、複数重ね合わせて棚状のトレイホルダー５に載置保持され、図５乃至図８に示すように二つ割りのスリーブ１１  ，１２  ，からなる円筒状のクロージャ１内に組み込まれて用いられるが、該スリーブ１１  ，１２  ，はヒンジ締結具３０により脱着自在に定着すると共に、フレーム１０には配線処理ガイド３１と、ケーブル把持金具３２１    と、テンションメンバ把持金具３２とを配置固定でき、前記スリーブ１１  ，１２  ，の外側に配置固定できる配線リング３３を備えている。この場合、前記配線ガイド３１によりテープ心線と分岐心線との動きを分離させ、テープ心線は常に配線ガイド３１のうしろ側に配置している。
【００２１】
前記スリーブ１１  ，１２  の両端壁嵌合部に嵌装された端面板２５とを備えたクロージャ１の例で説明すると、端面板２５にスペーサ２６を介して、主線光ケーブルＡが貫通されてケーブル把持金具３２１  で固定され、かつ、該ケーブルのテンションメンバが、テンションメンバ把持金具３２に接続連結されている。前記スペーサ２６には、ドロップケーブルの挿通用の閉塞孔を多数備え、引落し時に閉塞孔を開口してドロップケーブルをクロージャ１外に導出入できるようにしてある。さらに心線ドロップ用トレイ２には取付部１７を介してドロップテンションメンバー把持具２７を心線導出入部１１の近傍に着脱自在の構造として用いる形態とするのがよくまた、ドロップテンションメンバーアース線２７２  をドロップテンションメンバ把持具２７に装着し、該アース線２７２  を配線ホルダ２７３  を介して配線ガイド３１に連結し、引き落しケーブルの保護を容易にする。
また、前記心線ドロップ用トレイ２から導出された接続心線ａは、端面板２５から導出されて分岐ケーブルＢ及びＣとして配線される。前記スリーブ１１  ，１２  は、分割接合面を突き合わせ密封結合するが、スリーブ外側に設けたヒンジ部にループ状リングからなるヒンジ締結具３０を掛止めて連結一体化するようになっている。
【００２２】
なお、心線ドロップ用トレイ２に設けた係合孔７は、心線トレイ３が複数積み重ねられたときに必要に応じ、係合杆８などをトレイホルダー５に嵌挿して連結固定保持するために用いてもよいし、上下段ごとに連ボスを嵌合して連結する形態とすることもできる。
【００２３】
また、前記トレイホルダー５には、単心接続用トレイ２０１  の複数を互に心線取出方向を上面にする方向で水平に、かつそれぞれ個々に開閉自在に装着して分岐心線または単心線分離の際の心線接続部と心線余長とを一括収納する構成としクロージャ１内の棚状ケースのトレイホルダー５に挿脱自在に配備することもできる。
この場合、前記心線ドロップ用トレイ２にトレイベースを介して前記トレイホルダー５の案内溝１４に摺動自在に嵌装される構成としトレイホルダー５の引出時並びに収納時のトレイ保持が確実にできるようにしてもよい。
【００２４】
以上の構成からなる心線ドロップ用トレイ２において、テープ心線ａは心線トレイ３のいずれか一方の心線導出入部１１から入ると、心線通路を通ると共に心線押さえ用の係止片１８により押されられ、いずれかの心線余長収納部１３内に入る。これらテープ心線ａが心線余長収納部１３等内に入るときは、押え片２１で形成された全長通路を通る。そしてテープ心線ａは、前記係止片１８によって押さえられるとともに、リブ１６の回りを巻回され、かつコネクタ収納部１２の差込ガイドリブ１２１  に取り付けられたコネクタｂまたは分岐部に接続されると共に、コネクタｂから出る心線ａは、その心線余長収納部１３を通って、他方の心線導出入部１１からケース外部に出る。
【００２５】
このように、光ファイバケーブルを加入者宅等に引き落とす際に、トレイ各層が７０度以上開く構造であると共に、単心に分岐するのに心線導出入部１１の一方側から心線ａを入れる場合に、心線余長収納部１３に収納したときは、他方の心線導出入部１１側に出すことができる。
なお、心線導出入部１１の一方側から心線ａを入れて心線余長収納部１３に収納する場合、心線ａの巻回の仕方によって、両方の心線導出入部１１のいずれの側にも出すこともできる。
以上のように、いずれかの心線導出入部１１から心線ａを心線ドロップ用トレイ２内に入れることができ、かつ心線ａの曲率を小さくすることなく（過負荷を加えることなく）、入口側となった心線導出入部１１と同一の又は異なる心線導出入部１１を出口側として出すことができる。これにより、心線の出入口側を自由に選んで、光ケーブル用クロージャ内での心線の配線の便宜を図ることができる。
【００２６】
ここで、心線導出入部１１には、貫通穴が形成されたスポンジゴム等の弾性変形可能な弾性保持部材ｃが設けられ、心線ａは、この貫通穴を通って心線ドロップ用トレイ２内に入り、かつ心線ドロップ用トレイ２外に出る。この心線支持用の弾性保持部材は係止片１８により保持される。
このように弾性保持部材ｃを心線導出入部１１に介在させれば、心線ａが心線導出入部１１を通るときに、心線ａがトレイ本体に擦れることや、或いは引張衝撃等を確実に防止することができる。
【００２７】
そして、前記心線ドロップ用トレイ２、２をヒンジ部４で連結した形態としたものを重ね合わせたものとして光ケーブル用クロージャ１内のトレイホルダー５に順次積み重ねられるようにして実装される（図５参照）。この積み重ねには、バンドで固定化し、重なり合う心線接続収納トレイ同士をネジ止め等することなく積層連結することができ、高密度収納構造の心線接続クロージャ１とすることができる（図６参照）。
この場合、一つの心線導出入部１１から心線ａを入れ接続部ｂをコネクタ収納部１２に保持し、中央のリブ１６に巻回して同じ心線導出入部１１から取出て配線したり、或いは一方の心線導出入部１１から心線ａを入れ接続部ｂを保持し、心線余長を心線余長収納部１３に取り廻しして他方の心線導出入部１１から取り出す配線形態とすることが、各心線ドロップ用トレイ２ごとに行ってクロージャ１内で整理することができテープ心線から単心に分岐して引き落し配線できる。
【００２８】
例えば、単心分離の場合、現場で光ケーブルの外被を約５００ｍｍはぎ取りスロットルから出てきた任意テープ心線（４心）を最遠端（５００ｍｍ余長）でカットし、先端から３００ｍｍの位置でツールを用いて単心分離を行いドロップケーブル（×４）と接続した後トレイ収納するが、外装トレイ３１  に導入された心線ａは弾性保持部材ｃで固定され、Ｎｏ．１〜４までに分岐されそれぞれのトレイに収納される。即ち図９に示すように、Ｎｏ．２の内装トレイ３２  にはＮｏ．２の単心線ａを心線導出入部１１より入れ、心線押え片２１の下をくぐらせて、心線余長収納部１３に引き廻し、単心接続部ｂをコネクタ収納部１２に固定したのち、心線ａをリブ１６の巻回して心線導出入部１１より導出し、外装トレイ３１  のドロップテンションメンバ把持具２７で固定してドロップケーブルｃをクロージャ１外に引き落される。そして外装トレイ３１  内においても内装トレイ３２  と同時にＮｏ．１の単心線ａを引き廻し、コネクタ収納部１２と心線余長収納部１３とにそれぞれ整理配線されて、Ｎｏ．２〜４の各トレイから出た単心線とともにドロップテンションメンバ把持具２７に固定された状態でクロージャ１内に保護される。
【００２９】
さらに、分岐心線使用の場合には、現場で光ケーブルの外被を５００ｍｍはぎ取り、スロットルから出て来た任意テープ心線（４心）を最遠端（５００ｍｍ余長）でカットし、分岐心線のテープ側と接続し、さらに分岐心線の単心線とドロップケーブルｃとを接続後にトレイ収納するが、図１０に示すように、外装トレイ３１  に導入されたテープ心線ａ１  は弾性保持部材ｃで固定され、Ｎｏ．１〜４までに分岐されそれぞれのトレイに収納される。
例えば、Ｎｏ．２の内装トレイ３２  には、Ｎｏ．２の単心線ａを心線導出入部１１より入れ心線押え片２１の下をくぐらせて心線余長収納部１３に引き廻し、単心接続部ｂをコネクタ収納部１２に固定したのち心線ａをリブ１６の巻回して心線導出入部１１より導出し、外装トレイ３１    のドロップテンションメンバ把持具２７で固定し、ドロップケーブルｃをクロージャ１外に引き落とされる。
そして、外装トレイ３１  内では、一方の心線導出入部１１より分岐心線を入れ、分岐心線分離部ｂ１  、テープ接続部ｂ２  及び単心接続部ｂをそれぞれコネクタ収納部１３に固定し、内装トレイ３２  と同時にＮｏ．１の単心線ａを引き廻し、心線余長収納部１３とにそれぞれ整理配線されて、Ｎｏ．２〜４の各トレイから出た単心線とともにドロップテンションメンバ把持具２７に固定された状態で、クロージャ１内に保護されて用いられる。
【００３０】
また、図１１乃至図１３に示すように、前記心線ドロップ用トレイ２の複数を互に心線取出方向を上面にする方向で水平に、かつそれぞれ個々にヒンジ部２０を介して開閉自在に、装着して分岐心線または単心線分離の際の心線接続部と心線余長とをコネクタ収納部１２及び心線余長収納部１３に一括収納する構成とした心線接続収納ケースとし、該心線接続収納ケースをクロージャ１内の棚状ケースのトレイホルダー５に挿脱自在に配備することもできる。
この場合、最下段の心線ドロップ用トレイ２の両側面部に係止爪部１９を突設し、該係止爪部１９が、前記トレイホルダー５の案内溝１４に摺動自在に嵌装されると共に、該案内溝１４に形成されるロック部１５に係脱する構成として、トレイホルダー５の引出時並びに収納時のトレイ保持が確実にできるようにしてある。
以上の構成からなる心線ドロップ用トレイ２において、心線ａはいずれか一方の第１出入口の心線導出入部１１から入ると、ガイドリブ１２１  ，１３１  ，１３２  の間の心線通路を通るとともに心線押さえ用の係止片１８により押さえられ、いずれかの心線余長収納部１３内に入る。心線ａが心線余長収納部１３等内に入るときは、ガイドリブ１３１  で形成された出入口を通る。そして、心線ａは前記係止片１８によって押さえられると共に、ガイドリブ１３２  の回りを巻回され、かつコネクタ収納部１２の差込ガイドリブ１２１  に取り付けられたコネクタｂに接続されると共に、コネクタｂから出る心線ａは、その心線余長収納部１３を通って、他方の第２出入口の心線導出入部１１からケース外部に出る。
なお、前記心線ａを押える前記係止片１８は、２本以下に分けて、例えば１／２或いは２／３，１／３の位置などに振り分けて突設し、心線ａを通する際に上側の係止片１８と下側の係止片１８とに分けて通過させるようにし、増設時での配線に各心線ａの干渉をなくした安全な配線ができるようにすることが考慮されている。
【００３１】
このように、心線導出入部１１の一方側から心線ａを入れる場合に、心線余長収納部１３に収納したときは、他方の心線導出入部１１側に出すことができる。
なお、心線導出入部１１の一方側から心線ａを入れて心線余長収納部１３に収納する場合、心線ａの巻回の仕方によって、両方の心線導出入部１１のいずれの側にも出すこともできる。
以上のように、いずれかの心線導出入部１１から心線ａを心線ドロップ用トレイ２内に入れることができ、かつ心線ａの曲率を小さくすることなく（過負荷を加えることなく）、入口側となった心線導出入部１１と同一の又は異なる心線導出入部１１を出口側として出すことができる。これにより、心線の出入口側を自由に選べて、光ケーブル用クロージャ内での心線の配線の便宜を図ることができる。
【００３２】
ここで、心線導出入部１１には、貫通穴が形成されたスポンジゴム等の弾性変形可能な弾性保持部材が設けられ、心線ａは、この貫通穴を通って心線ドロップ用トレイ２内に入り、かつ心線ドロップ用トレイ２外に出る。この心線支持用の弾性保持部材は係止片１８により保持される。
このように弾性保持部材を心線導出入部１１に介在させれば、心線ａが心線導出入部１１を通るときに、心線ａがトレイ本体に擦れること、或いは引張衝撃等を確実に防止することができる。
【００３３】
そして、この心線ドロップ用トレイ２、２をヒンジ部２０で連結した形態としたものを重ね合わせたものとして光ケーブル用クロージャ１内のトレイホルダー５に順次積み重ねられるようにして実装され、この積み重ねには、係合用の係止ノブ２３（トレイ本体上面）側が前方側となるようにしバンドで固定化される。
また、下側の心線ドロップ用トレイ２の係止爪部１９を、上側のトレイホルダー５に入れれば、重なり合うトレイ同士をネジ止め等することなく積層連結することができ、高密度収納構造の心線接続クロージャ１とすることができる。
この場合、一つの心線導出入部１１から心線ａを入れ接続部ｂをコネクタ収納部１３に保持し中央のガイドリブ１３２    に巻回して同じ心線導出入部１１から取出て配線したり（図１２ａ，ｂ）或いは一方の心線導出入部１１から心線ａを入れ接続部ｂを保持し心線余長を心線余長収納部１３に取り廻しして他方の心線導出入部１１から取り出す配線形態（図１３ａ，ｂ）とすることが、各接続用トレイ２ごとに行ってクロージャ１内で整理することができる。
【００３４】
【発明の効果】
本発明は、心線トレイが外装トレイと、該外装トレイにヒンジ部で開閉自在に連結されて外装トレイ内に積層された内装トレイとからなる入れ込み構造とすると共に、この外装トレイの一対をヒンジ部で観音開きに開閉自在に連結されて一組として、テープ心線から分岐した単心ごとにコネクタと心線余長とを個別に収納できる心線ドロップ用トレイに構成され、該心線ドロップ用トレイの複数枚を重合状態でそれぞれクロージャ内に設けたトレイホルダーに挿脱自在に嵌装するのに、前記心線トレイをトレイホルダーに水平方向に押し込み連結させ、取り外しにはトレイホルダーの前方側に心線ドロップ用トレイをスライドさせる構成で行なうことにより、心線トレイの係脱が簡便にできて、簡単に多段に積み重ねることができ、しかも将来的に一度接続し引き落とされた心線の故障・移転等で接続替えが発生した場合にも他の心線に光損失なく的確に接続替えを行うことができるので、ケーブルの引き落しの際に複数枚重ねられた心線ドロップ用トレイは心線導出入部より光ケーブルの伝送特性に悪影響を与えることなく光ケーブルの接続や切り替え或いは分岐接続作業や再収納作業が容易に実施でき、複数接続単位で複層化とした高密度収納構造によってテープ心線ごとの収納や整理のほか心線ごとの増減が簡単にでき増設も楽で、きわめてコンパクトに接続部を安全に収納することができるので、心線接続作業後に任意の収納トレイを開いて収納されている光ファイバ心線を迅速に引き落すことができ、心線識別も容易で接続部の再調整や修理など簡単に行うことができ、作業性を大幅に向上すると共に、各心線ドロップ用トレイを必要なだけ複数に積み重ねることができると共に、多段に積み重ねられた収納トレイ全体を的確に保持できて安全性も高められる。
【００３５】
また本発明によれば、心線接続収納ケースの心線トレイが外装トレイにヒンジ部で開閉自在に連結された内装トレイとからなる入れ込み構造とし、この外装トレイの一対をヒンジ部で観音開きに開閉自在に連結された心線ドロップ用トレイとなっていて、該心線ドロップ用トレイの複数枚を重合状態でそれぞれクロージャ内に設けたトレイホルダーに挿脱自在に嵌装するのに、前記心線トレイをトレイホルダーに水平方向に押し込み連結させ、取り外しにはトレイホルダーの前方側に心線ドロップ用トレイをスライドさせる構成で行なうことによって、心線トレイがお互いに回動自在で着脱自在に連結されているので、将来的に一度接続し引き落とされた心線の故障・移転等で接続替えが発生した場合にも他の心線に光損失なく的確に接続替えを行うことができ、任意の心線トレイを開いて或いは取り出したりしてテープ心線から分岐した心線ドロップの接続作業や接続状況の点検、確認、調整、修理の各作業などをきわめて容易に安全に行うことができ、しかも引き落し心線余長の収納が収まり良くできるし、心線の巻回収納にも余裕があり、心線の保持も緩衝的に行なわれているので、心線に弛みが生じないし、各心線トレイを展開しても収納した光ファイバの余長部の長さの変化が少ないので、光ファイバの余長部の長さの変化も少なく、光ファイバ心線に無理な屈曲や小円弧が発生することなく光損失をなくして伝送特性を良好に保ことができテープ心線から分岐した各単心線を積層した各トレイに個別収納し、任意の単心線の接続替えが発生した場合にも他心線に影響なくアクセスすることが可能となる。
【００３６】
さらに、本発明によれば、心線の分岐、引込の際に心線ドロップ用トレイへの心線導出入の自由度があって作業上、心線接続部へのアクセスが簡便化でき、管理や組立分解作業も容易に行なえ、かつ高密度・高信頼性が得られる。殊に、必要なだけ多段に積み重ねた心線ドロップ用トレイ同士が外れたりずれたりすることなく、簡単確実に結合されて識別容易な心線接続部を持ったクロージャとして安全性を大幅に高められ、心線余長収納での高信頼性がえられるし、収納トレイ相互間をネジ止め等することなく脱着でき取扱いも著しく容易化でき、かつコンパクト化が図れる。
さらに、ドロップ心線を個別に内外装トレイからなる心線トレイの集合体となる心線接続収納ケースに収納し、クロージャ内のトレイホルダーに挿し込むことで隣接される心線トレイと整理でき、またトレイホルダーから外して開閉することにより連結した心線ドロップ用トレイを別個に露出することができ、接続作業や心線ドロップ用トレイの更新並びに増設が容易にできるし、簡易な心線識別とハードトレイ化による安全性向上と任意心線の取り出し、接続、再収納作業に対するハンドリング特性の向上とが図れるし、任意の単心線へのアクセス後、この複数層のトレイをクロージャ内に納めるのにクロージャ内に設けたトレイホルダーに嵌挿して心線余長の吸収に自由度を持たせて納められ、伝送特性に悪影響を及ぼすことがない。
【図面の簡単な説明】
【図１】図１は本発明の実施例の一使用状態を示し、（ａ）は組込状態の平面図、（ｂ）は一部展開状態の平面図である。
【図２】図１の例で用いられる心線ドロップ用トレイを示し、（ａ）はその表面内装トレイの平面図、（ｂ）（ｃ）は中間内装トレイの平面図、（ｄ）は外装トレイの平面図である。
【図３】図１の別例のトレイの一部を示し、（ａ）はその中間及び表面内装トレイの平面図，（ｂ）はその側面図、（ｃ）は外装トレイの平面図、（ｄ）はその側面図である。
【図４】図１のさらに別例のトレイの一部を示し、（ａ）はその中間内装トレイの平面図、（ｂ）はその蓋片の平面図、（ｃ）は中間内装トレイの側面図である。
【図５】図１の例をクロージャに収納状態を示す縦断面図である。
【図６】図５の例のクロージャを示し、（ａ）はその一部を切欠して内部を示す平面図、（ｂ）はその一部切欠側面図である。
【図７】図５の例のクロージャを示し、（ａ）はその正面図、（ｂ）は一部の縦断面図である。
【図８】図７の例のフレームの使用状態を示し，（ａ）は単心分離の場合の下段接続トレイの側面図、（ｂ）はその側面図、（ｃ）はその平面図である。
【図９】図１の例の単心分離の配線一使用状態を示し、（ａ）は中間内装トレイの平面図、（ｂ）は外装トレイの平面図である。
【図１０】図１の例の分岐心線使用の配線一使用状態を示し、（ａ）は中間内装トレイの平面図、（ｂ）は外装トレイの平面図である。
【図１１】本発明の他の実施例の心線ドロップ用トレイを示す平面図である。
【図１２】図１１の例の一使用状態を示し、（ａ）は単心分離の場合の下段心線ドロップ用トレイの平面図、（ｂ）はその上段心線ドロップ用トレイの平面図である。
【図１３】図１１の例の他の使用状態を示し、（ａ）は分岐心線の場合の下段心線ドロップ用トレイの平面図、（ｂ）はその上段心線ドロップ用トレイの平面図である。
【符号の説明】
１    クロージャ
２    心線ドロップ用トレイ
３    心線トレイ
３１    外装トレイ
３２    内装トレイ
４    ヒンジ部
５    トレイホルダー
６    蓋片
７    係合孔
８    係合杆
９    係止爪部
１０    フレーム
１１    心線導出入部
１２    コネクタ収納部
１３    心線余長収納部
１４    案内溝
１６    リブ
１７    ドロップテンションメンバ取付部
１８    係止片
１９    係止爪部
２０    ヒンジ部
２１    心線押え片
【図１】
0004231162.tif 000002
【図２】
0004231162.tif 000003
【図３】
0004231162.tif 000004
【図４】
0004231162.tif 000005
【図５】
0004231162.tif 000006
【図６】
0004231162.tif 000007
【図７】
0004231162.tif 000008
【図８】
0004231162.tif 000009
【図９】
0004231162.tif 000010
【図１０】
0004231162.tif 000011
【図１１】
0004231162.tif 000012
【図１２】
0004231162.tif 000013
【図１３】
0004231162.tif 000014